(57)【特許請求の範囲】
【請求項１】
遊技媒体を用いて遊技可能な遊技機が１又は複数設置され、遊技機から排出される遊技媒体を貯留可能な貯留容器を支持する支持手段を備えた遊技場の構造であって、
支持手段は、所定の間隔を空けて配され、少なくとも支持体を有し、
前記支持体は、前記遊技機が位置する箇所の下方に配され、不支持姿勢から支持姿勢に姿勢変更が可能であり、
前記支持姿勢は、前記不支持姿勢から貯留容器を支持する部分を鉛直成分を含んだ方向であって上方に移動させた姿勢であり、且つ、貯留容器を支持する姿勢であって、
貯留容器は、遊技媒体が貯留される貯留部と、把持可能な把持部とを有し、
前記支持姿勢では、支持体が貯留容器の把持部を支持するものであり、貯留容器はその支持された状態で遊技機から排出される遊技媒体を貯留部に貯留できるものであり、
前記支持姿勢では、前記遊技機を正面視した際に前記支持体の一部が前記遊技機に重なった状態となり、前記不支持姿勢では、前記遊技機を正面視した際に前記支持体が前記遊技機に重ならない状態となることを特徴とする遊技場の構造。
【請求項２】
支持手段は、貯留容器を支持する支持体を有し、
支持体を支持姿勢と不支持姿勢のいずれかの状態に選択的に変更可能な姿勢変更機構を有し、
支持姿勢は不支持姿勢より貯留容器を高い位置で支持する姿勢であることを特徴とする請求項１に記載の遊技場の構造。
【請求項３】
姿勢変更機構は、支持体を回動させて姿勢を変更させるものであることを特徴とする請求項２に記載の遊技場の構造。
【請求項４】
前記遊技機よりも下方に設けられた腰板の表面から張り出した張出軸部を有し、
前記支持体は、前記張出軸部が挿通される軸保持孔を有し、前記張出軸部の周方向に回動することを特徴とする請求項３に記載の遊技場の構造。
【請求項５】
前記遊技機よりも下方に設けられた腰板の表面から張り出した張出軸部を有し、
前記支持体は、上下方向に延びた軸保持孔を有しており、
前記姿勢変更機構は、前記張出軸部を前記支持体の軸保持孔に挿通した状態で、前記支持体をスライド移動させるものであることを特徴とする請求項２に記載の遊技場の構造。
【請求項６】
前記遊技機よりも下方に設けられた腰板の表面から張り出した張出軸部を有し、
前記支持体は、２つの軸保持孔を有しており、
上側の前記軸保持孔に前記張出軸部を挿着する不支持姿勢と、下側の前記軸保持孔に前記張出軸部を挿着する支持姿勢を選択的に変更可能であることを特徴とする請求項１に記載の遊技場の構造。
【請求項７】
前記遊技機よりも下方に設けられた腰板の表面から張り出した張出軸部を有し、
前記張出軸部は、突端部に軸線に交差して延びる貫通孔が設けられており、
前記姿勢変更機構は、前記張出軸部に形成された前記貫通孔と、前記支持体に形成された貫通孔を連通させて連通孔を形成し、連通孔に軸体を挿通するものであることを特徴とする請求項３に記載の遊技場の構造。
【請求項８】
支持手段の変更した姿勢を維持させることが可能な姿勢維持手段を有することを特徴とする請求項１乃至７のいずれかに記載の遊技場の構造。
【請求項９】
２以上の遊技機により複数の群が形成され、
各群では、遊技機よりも下方に腰板が設けられるものであって、
前記支持手段は、腰板に位置するように配されることを特徴とする請求項１乃至８のいずれかに記載の遊技場の構造。
【発明の詳細な説明】
【技術分野】
【０００１】
本発明は、遊技場の構造に関するものであり、特に遊技者の遊技時の快適性を確保できる遊技場の構造に関する。
【背景技術】
【０００２】
従来より、遊技場においては、大当たりが当選すると、パチンコ機やスロット機等の遊技機から遊技球（以下、単に玉と言う）や遊技メダル（以下、単にメダルと言う）等の遊技媒体が払い出され、遊技者によってその遊技媒体が貯留箱に貯留される。特に、パチンコ機により玉が払い出される場合は、大当たり中に並行してその玉を貯留箱に移動させる必要がある。
【０００３】
その理由としては、パチンコ機において大当たりが当選すると、玉はパチンコ機に設けられた受け皿に払い出されるが、パチンコ機の受け皿は、大当たりによって払い出される玉の一部しか貯留できないという構成が一般的とされているからである。即ち、遊技者は、大当たりによって払い出された玉のうち、少なくとも受け皿の許容量をオーバーした分の玉を、遊技者自らが大当たりの最中に受け皿から貯留箱に移さなければならい。
【０００４】
そのため、通常、パチンコ機等の遊技機を複数台並設して形成した遊技島においては、パチンコ機よりも下方に、貯留箱を載置できる載置棚（所謂膳板）が設けられ、載置棚に載置された貯留箱に、遊技機の受け皿から玉を落とし込むことが可能な構成とされている。これにより、遊技者は、遊技機から払い出された玉を、大当たり中であっても容易に貯留箱に移すことができる。
【０００５】
ところで、遊技場における載置棚は、通常、床面から６０〜６５ｃｍ程度の高さの位置に設けられている。これは、遊技島に取り付けられたパチンコ機の高さを考慮すれば適した高さであるが、遊技者の遊技時の快適性を損なわせてしまう不満がある。即ち、遊技をする時間が長時間になれば、同一の姿勢を維持することに不快感を覚え、姿勢を変更したい衝動に駆られるが、図９に示すように、載置棚が障害となり物理的に姿勢（主に脚の姿勢）が変更できない場合がある。またこの問題は、単に遊技者の快適性が損なわれるということだけではなく、この快適性が損なわれることから不満が募り、その不満から来るストレスによって、遊技者の遊技場へのリピート率が低下し、遊技場の経営に大きな影響を及ぼす可能性がある。
【０００６】
そこで、特許文献１には、載置棚を必要に応じて収納可能とした遊技島設備が開示されている。即ち、特許文献１の遊技島設備は、遊技島本体の内部方向に、載置棚をスライドして収納可能な構成とされている。
【先行技術文献】
【特許文献】
【０００７】
【特許文献１】特開平１０−２１６３４９号公報
【発明の概要】
【発明が解決しようとする課題】
【０００８】
しかしながら、特許文献１では、遊技島本体に対して載置棚をスライドさせて、遊技島本体から最も張り出した状態にして貯留箱を支持するため、貯留箱の荷重により、載置棚あるいは載置棚をスライド可能に保持するスライド部が破損してしまう場合が懸念される。
【０００９】
具体的には、特許文献１は、収納式の載置棚が遊技島本体から最も張り出した状態にして貯留箱を支持するため、遊技島本体に残った支持側端部でその貯留箱を支えることとなる。そのため、載置棚に貯留箱を載置した際に、貯留箱に貯留された玉の重みによって発生するモーメント力が載置棚の支持側端部に集中し、載置棚及び載置棚をスライド可能に保持するスライド部に対する負担が増す。即ち、特許文献１のようなスライド式の載置棚を採用した場合、載置棚及びそれをスライド可能に保持するスライド部に、従来技術よりも高い強度を付与しておかなければ、載置棚の支持部側が過度に撓んで遊技島本体内部に収納することができなくなったり、最悪の場合、載置棚が破壊されて、載置棚から貯留箱が落下して遊技者に怪我を負わせる問題が考えられる。
【００１０】
そこで、本発明者らは、載置棚を収納式にすることなく、遊技者の姿勢変更を可能にする遊技場の構造を勘案し試作した。具体的には、試作した遊技場の構造は、遊技島に載置棚を設置せず、各遊技機に対して個々の支持部材が配された構成である。そして、図１９に示すように、支持部材１０１は、実際に貯留箱を支持する１対の張出棒部１０５を有し、その１対の張出棒部１０５は互いに所定の間隔を空けて、遊技島の腰板３３に配された構成とされている。即ち、試作した遊技場の構造によれば、支持部材１０１が貯留箱１２０を支持しない状態においては、１対の張出棒部１０５によって形成された間隔の範囲内において、高さ方向の制限がなくなる。これにより、遊技者が脚を組むなどの姿勢変更が行い易くなり、遊技時の快適性を確保することが可能となった。
【００１１】
しかしながら、試作した遊技場の構造によれば、載置棚が配される高さ（床面から６０〜６５ｃｍ）とほぼ同じ位置あるいは低い位置に支持部材１０１が設けられ、その支持部材１０１には貯留箱１２０の底部よりも高い位置の把持部１２２で支持されるため、従来のように貯留箱を載置棚に載置する場合よりも、遊技機の受け皿と貯留箱１２０との距離が拡がりすぎてしまうという不満があった。これにより、遊技機の受け皿から貯留箱１２０に玉を導入する際に、様々な不具合が生じる問題があった。即ち、試作した遊技場の構造においては、玉が貯留箱１２０に導入される際の衝突音が大きくなったり、貯留箱１２０の底からの跳ね返りが大きくなって貯留箱１２０の外に飛び出してしまう等の不具合があった。
【００１２】
そこで、本発明者らは、その問題を解消する方策として、貯留箱の規格を従来のものより大型にすることを勘案した。ところが、この方策によれば、例えば、大型の貯留箱を従来と同数用意した場合、遊技場における収納スペースが拡大してしまう問題がある。さらに、試作した遊技場の構造に適するように貯留箱の規格を変更すれば、遊技場における設備投資費が増大してしまう懸念がある。
【００１３】
そこで、本発明では、上記した問題に鑑み、遊技者の遊技時における快適性を確保しつつ、貯留箱の規格を変更することなく、貯留箱と遊技機の受け皿との間に形成される間隔が拡がりすぎることを防止できる遊技場の構造を提供することを目的とする。
【課題を解決するための手段】
【００１４】
上記課題を解決するための請求項１に記載の発明は、遊技媒体を用いて遊技可能な遊技機が１又は複数設置され、遊技機から排出される遊技媒体を貯留可能な貯留容器を支持する支持手段を備えた遊技場の構造であって、支持手段は、所定の間隔を空けて配され、少なくとも支持体を有し、前記支持体は、前記遊技機が位置する箇所の下方に配され、不支持姿勢から支持姿勢に姿勢変更が可能であり、前記支持姿勢は、前記不支持姿勢から貯留容器を支持する部分を鉛直成分を含んだ方向であって上方に移動させた姿勢であり、且つ、貯留容器を支持する姿勢であって、貯留容器は、遊技媒体が貯留される貯留部と、把持可能な把持部とを有し、前記支持姿勢では、支持体が貯留容器の把持部を支持するものであり、貯留容器はその支持された状態で遊技機から排出される遊技媒体を貯留部に貯留できるものであり、前記支持姿勢では、前記遊技機を正面視した際に前記支持体の一部が前記遊技機に重なった状態となり、前記不支持姿勢では、前記遊技機を正面視した際に前記支持体が前記遊技機に重ならない状態となることを特徴とする遊技場の構造である。
【００１５】
本発明の遊技場の構造は、貯留容器を支持する支持手段が所定の間隔を空けて配されているため、大当たり中や、既に貯留された貯留容器内の遊技媒体を使用する時以外の時（以下、単に貯留容器を要さない時と言う）は、前記間隔の範囲内においては高さ方向の制限がなくなる。また、本発明では、貯留容器の把持部が支持手段に支持され、その状態で遊技機から排出される遊技媒体を貯留部で貯留可能とされているため、支持手段によって形成される所定の間隔は、主に遊技機の正面に位置することとなる。換言すれば、貯留容器を要さない時は、遊技者が遊技する際の正面に、高さ方向の制限がない遊技環境を形成することができる。即ち、本発明によれば、貯留容器を要さない時に、脚の姿勢を容易に変更できる環境を提供できるため、遊技者の遊技時における快適性を確保することができる。
【００１６】
また、本発明においては、支持手段の少なくともいずれかの部分を鉛直成分を含んだ方向に移動させることが可能であるため、大当たり中や、既に貯留された貯留容器内の遊技媒体を使用する時（以下、単に貯留容器を要する時と言う）に、支持手段を遊技機に対して相対的に移動させて、貯留容器を支持させるために適した姿勢に変更することができる。即ち、本発明によれば、貯留容器を要する場合においては、例えば、支持手段が実際に貯留容器を支持する部分を遊技機に対して近接する方向に移動させて、貯留容器を支持させた際の貯留容器と遊技機との距離を近づけることが可能である。より具体的には、遊技機における遊技媒体が排出されて一時的に貯留される受け皿と貯留容器との間に形成される間隔を適度な距離にすることができるため、前記受け皿から貯留容器に遊技媒体が導入される際に、遊技媒体の衝突音が過度に大きくなったり、貯留容器から飛び出したりする等の不具合を防止することができる。即ち、受け皿と貯留容器との距離を変更できるため、従来の規格の貯留容器をそのまま使用しても、前記不具合が生じない。
【００１７】
また、本発明では、例えば、支持手段に遊技場内に固定される固定部と、実際に貯留容器が載置される可動部を設け、強固に支持された固定部に対して、可動部の姿勢を変更する構成にすることができる。即ち、重量物たる遊技媒体が貯留された貯留容器を支持する場合であっても、荷重による負担は遊技場に強固に支持された固定部が受けるため、支持手段が破損したり破壊されることを防止できる。
【００１８】
請求項２に記載の発明は、支持手段は、貯留容器を支持する支持体を有し、支持体を支持姿勢と不支持姿勢のいずれかの状態に選択的に変更可能な姿勢変更機構を有し、支持姿勢は不支持姿勢より貯留容器を高い位置で支持する姿勢であることを特徴とする請求項１に記載の遊技場の構造である。
【００１９】
かかる構成によれば、貯留容器を支持する支持体の姿勢を変更可能な姿勢変更機構を有しているため、支持体の姿勢変更が容易である。即ち、例えば、回転軸を利用して支持体を回転させて姿勢を変更させたり、スライド機構を利用して支持体を高さ方向にスライドさせたりして、予め設定された動作だけに制限することで、支持体の動作を単純にすることができるため、誤操作等の不具合が防止される。
【００２０】
本発明の遊技場の構造は、姿勢変更機構は、支持体を回動させて姿勢を変更させるものであることが望ましい。（請求項３）
【００２１】
請求項４に記載の発明は、前記遊技機よりも下方に設けられた腰板の表面から張り出した張出軸部を有し、前記支持体は、前記張出軸部が挿通される軸保持孔を有し、前記張出軸部の周方向に回動することを特徴とする請求項３に記載の遊技場の構造である。
【００２２】
請求項５に記載の発明は、前記遊技機よりも下方に設けられた腰板の表面から張り出した張出軸部を有し、前記支持体は、上下方向に延びた軸保持孔を有しており、前記姿勢変更機構は、前記張出軸部を前記支持体の軸保持孔に挿通した状態で、前記支持体をスライド移動させるものであることを特徴とする請求項２に記載の遊技場の構造である。
【００２３】
請求項６に記載の発明は、前記遊技機よりも下方に設けられた腰板の表面から張り出した張出軸部を有し、前記支持体は、２つの軸保持孔を有しており、上側の前記軸保持孔に前記張出軸部を挿着する不支持姿勢と、下側の前記軸保持孔に前記張出軸部を挿着する支持姿勢を選択的に変更可能であることを特徴とする請求項１に記載の遊技場の構造である。
【００２４】
請求項７に記載の発明は、前記遊技機よりも下方に設けられた腰板の表面から張り出した張出軸部を有し、前記張出軸部は、突端部に軸線に交差して延びる貫通孔が設けられており、前記姿勢変更機構は、前記張出軸部に形成された前記貫通孔と、前記支持体に形成された貫通孔を連通させて連通孔を形成し、連通孔に軸体を挿通するものであることを特徴とする請求項３に記載の遊技場の構造である。
【００２５】
請求項８に記載の発明は、支持手段の変更した姿勢を維持させることが可能な姿勢維持手段を有することを特徴とする請求項１乃至７のいずれかに記載の遊技場の構造である。
【００２６】
かかる構成によれば、支持手段の姿勢を維持する姿勢維持手段を有しているため、貯留容器に遊技媒体を導入する際に、支持手段の姿勢が安定する。また、本発明によれば、不意に支持手段の姿勢が不支持姿勢に戻ってしまうような不具合が防止される。
【００２７】
本発明の遊技場の構造は、２以上の遊技機により複数の群が形成され、各群では、遊技機よりも下方に腰板が設けられるものであって、前記支持手段は、腰板に位置するように配されることが望ましい。（請求項９）
【発明の効果】
【００２８】
本発明の遊技場の構造では、貯留容器を支持する支持手段が所定の間隔を空けて設けられているため、高さ方向に制限がない領域を確実に形成することができる。これにより、遊技の際に遊技者の姿勢変更が容易となり、遊技時の快適性を確保することができる。
また、本発明の遊技場の構造は、支持手段の姿勢を不支持姿勢よりも鉛直方向成分を含んだ方向であって、不支持姿勢よりも上方に位置する支持姿勢に変更できるため、貯留容器を支持手段で支持する際に形成される貯留容器と遊技機との距離を適切な距離にすることができる。これにより、貯留容器に遊技媒体を導入する際の不具合を防止することができる。
【図面の簡単な説明】
【００２９】
【図１】本発明の実施形態に係る遊技場の構造を備えた遊技場の一部を示す斜視図である。
【図２】図１の支持部材を示す拡大斜視図である。
【図３】図１の支持部材を示す分解斜視図である。
【図４】図３の支持体を示す分解斜視図である。
【図５】図４のカバー部材を別の角度から見た斜視図である。
【図６】ストッパ部材を示す斜視図である。
【図７】図１の遊技島を示すＡ−Ａ断面図であって、一部を断面にした図である。
【図８】本実施形態に係る遊技場の構造を備えた遊技場で遊技した場合の状況を示す説明図である。
【図９】載置棚が設けられた遊技島を備えた遊技場で遊技した場合の状況を示す説明図である。
【図１０】支持部材の支持体の姿勢を変更する際の状況を概念的に示す説明図である。（実線：不支持姿勢、二点鎖線：支持姿勢及び支持姿勢に至るまでの過程）
【図１１】支持姿勢の状態の支持部材の断面を示す概念図である。
【図１２】支持部材の変形例を示す分解斜視図である。
【図１３】張出軸部の変形例を示す斜視図である。
【図１４】図１３の張出軸部を用いて支持部材を構成できる支持体の変形例を示す斜視図である。
【図１５】図１３の張出軸部を用いて支持部材を構成できる支持体の別の変形例を示す斜視図である。
【図１６】支持部材の変形例の要部を示す平面図である。
【図１７】図１６の支持部材を取り付けた状況を示す概念図である。
【図１８】ストッパ部材の変形例を概念的に示す正面図である。
【図１９】試作した遊技場の構造を備えた遊技場の一部を示す斜視図である。
【発明を実施するための形態】
【００３０】
以下に、本発明を実施形態に係る遊技場の構造について説明する。
なお、特に断りがない限り、上下左右、前後方向の表現に関しては図１に示す遊技機３０を正面視した際の方向を基準とする。
【００３１】
本実施形態の遊技場の構造は、主に複数の弾球遊技機（所謂パチンコ機）３０を１つの群とした所謂遊技島３１に適した構成であり、その遊技島３１が複数配されて形成されている。そこで、以下の説明においては、理解を容易にするために、１つの遊技島３１に注目して説明する。
【００３２】
即ち、図１に示すように、遊技島３１においては、所定台数分の遊技機取付部３２が設けられており、その各遊技機取付部３２に１台ずつパチンコ機３０が設置されている。具体的には、遊技島３１においては、所定の台数（本実施形態では各列に５台ずつ）のパチンコ機３０が２列（図１の正面に１列と背面（図示しない）に１列）に配され、各列にパチンコ機３０が並設されている。そして、各パチンコ機３０に対向する位置に遊技者が着座可能な椅子（図８）が１脚ずつ配置されている。
なお、遊技島３１の内部においては、柱や梁などの構造体の他、各パチンコ機３０に遊技媒体（以下、単に玉と言う）を搬送する玉搬送装置（図示しない）、各パチンコ機３０から回収された玉が一時的に貯留される貯留タンク（図示しない）、回収された玉の汚れを除去し磨く玉研磨装置（図示しない）等のパチンコ機３０を動作させる際に関連する機器が配されているが、本発明においては特に関係がないため説明を省略する。
【００３３】
また、遊技島３１の外部においては、内部構造を目隠しするように、外壁として化粧板等が設けられている。具体的には、化粧板は遊技機取付部３２を除く箇所に設けられており、図７に示すように、遊技場の天井側から、天板３４、幕板３５、ランプ板３６、腰板３３、幅木３７とされている。
【００３４】
ところで、通常の遊技島においては、先にも説明したように、パチンコ機３０よりも下方であって、並設されたパチンコ機３０の全体に渡って玉箱を載置可能な載置棚５１（図９）が設けられている。この載置棚５１の底部の高さは、一般的に、遊技場の床面から６０〜６５ｃｍ程度とされている。そのため、この種の遊技島を備えた遊技場においては、この載置棚５１によって、高さ方向に制限が課せられ、遊技者の遊技の際の脚の組み替え等の障害となっていた。
【００３５】
そこで、本実施形態においては、載置棚５１に替えて、各パチンコ機３０毎に１つの支持部材（支持手段）１を配する構成とした。即ち、支持部材１は、パチンコ機３０よりも下方の位置であって、後述する１対の張出軸部５が所定の間隔を空けて配される構成とされている。
以下に、本実施形態の特徴的構成である支持部材１について、具体的に説明する。
【００３６】
本実施形態における支持部材１は、図１に示すように、遊技島３１を構成する腰板３３に位置するように配されており、図２に示すように、支持体２と、支持体２の姿勢を変更可能な機能を備えた回動基礎部材３とによって構成されている。
なお、腰板３３は、図１、７に示すように、遊技機３０よりも下方に設けられ、遊技島３１の内部に配された機器等を目隠しする機能を有した板部材である。
【００３７】
回動基礎部材３は、図３に示すように、後述する支持体２を軸支する１対の張出軸部５と、その１対の張出軸部５が所定の間隔を空けて一体的に接合された板状部６と、板状部６と共に回動基礎部材３を所定の位置に固定する補助部材７を有している。即ち、１つの回動基礎部材３は、板状部６に接合された１対の張出軸部５が、板状部６及び補助部材７を介して腰板３３に固定される部材である。
【００３８】
なお、ここで言う「所定の間隔」は、１対の張出軸部５同士の中心と中心の間隔を基準としても、後述する支持体２の外側面と外側面の間隔を基準としてもよい。要するに、貯留容器（玉箱）２０の把持部２２が、１対の張出棒部５によって支持されて、その間隔に貯留部２１が収まる大きさであればいかなる大きさであっても構わない。
前記玉箱２０は、公知のそれと同様の構成であり、図１に示すように、玉を貯留する貯留部２１と、その貯留部２１の外周部に一体的に設けられた把持部２２とを備えたものである。
【００３９】
張出軸部５は、断面形状が円形で、外径の大きさが１．０〜２．５ｃｍ程度に設定されている。
また、張出軸部５は、板状部６からの張り出し長さが１６〜２０ｃｍ程度に設定されている。そして、遊技島３１に取り付けた際に、張出軸部５の腰板３３の表面からの張り出し長さが、ほぼ１４〜１５ｃｍ程度になるように設定されている。
また、張出軸部５の突端側には、軸線と交差する方向に貫通した貫通孔２８が設けられている。この貫通孔２８は、径が３ｍｍ程度であり、金属製の割ピン５６（図３）が挿通される。
【００４０】
板状部６は、長方形状の金属板で、長手方向の長さが、前記した１対の張出軸部５の所定の間隔と、張出軸部５の外径を加算した長さよりも長く設定され、短手方向の長さが張出軸部５の外径よりも長く設定されている。そして、板状部６には、４隅近傍と、長手側縁部の近傍で長手方向中間部に部材厚方向に貫通した支持体貫通孔１３が設けられ、さらに張出軸部５の間隔と同じ間隔でほぼ鉛直上方向（図３を基準）にずれた位置に部材厚方向に貫通した１対のストッパ用挿通孔１７が設けられている。支持体貫通孔１３は、ネジあるいはボルトが挿通される孔である。
即ち、本実施形態では、板状部６に６つの支持体貫通孔１３と、１対のストッパ用挿通孔１７が設けられている。
【００４１】
ここで、本実施形態では、後述する支持体２を所定の姿勢（支持姿勢）に維持するために、ストッパ部材（姿勢維持手段）１２が用いられる構成とされている。ストッパ部材１２は、図６に示すように、張出軸部５のような棒状の部材であり、ストッパ本体１２ａの一方の端部側に円形フランジ１２ｂが設けられた構成とされている。また、ストッパ部材１２の軸線方向長さは、張出軸部５より長く設定されている。
即ち、ストッパ用挿通孔１７は、そのストッパ部材１２が挿通される部分であり、孔の径がストッパ本体１２ａと同等あるいはそれより若干大きい径に設定されている。
【００４２】
補助部材７は、板状部６と同程度の大きさで構成されており、部材厚方向に貫通した軸用挿通孔１５及びストッパ用挿通孔１８が設けられている。そして、軸用貫通孔１５は、張出軸部５の外径とほぼ同じ径に設定され、ストッパ用挿通孔１８は、ストッパ部材１２のストッパ本体１２ａの径とほぼ同じ径あるいはそれより若干大きい径に設定されている。また、補助部材７は、板状部６の支持体貫通孔１３と連通し得る位置に、支持体貫通孔１３と同程度の大きさの補助側貫通孔１６が設けられている。
即ち、補助部材７には、張出軸部５が挿通される１対の軸用挿通孔１５と、ストッパ部材１２が挿通される１対のストッパ用挿通孔１８と、ネジあるいはボルトが挿通される６つの補助側貫通孔１６が設けられている。
【００４３】
支持体２は、図３に示すように、外観がほぼ直方体状で、厚み（左右方向の長さ）が高さ（上下方向の長さ）及び幅（前後方向の長さ）より極端に短い筐体本体８と、その筐体本体８に装着されたカバー部材２５を有し、その筐体本体８に対して、張出軸部５が挿通される軸保持孔２３（図４）と、ストッパ部材１２が挿通されるストッパ保持孔２４（図４）が設けられた構成とされている。なお、筐体本体８の厚みの大きさは、玉箱における貯留部２１からの把持部２２の突出長さよりも小さく設定されている。
筐体本体８は、図４に示すように、厚み（左右方向の長さ）と高さ（上下方向の長さ）の成分を有する１対の面のうち、一方の面側にカバー部材２５が装着される被装着部３９が形成されている。被装着部３９は、筐体本体８の一部が一回り小さくされた部分で、その部分の外壁であって高さ方向に沿って直線状の係合溝６０が設けられている。
【００４４】
また、筐体本体８には、被装着部３９側の面から対向する面まで貫通した軸保持孔２３が形成されている。換言すれば、軸保持孔２３は、筐体本体８の幅方向（前後方向）に沿って形成されている。そして、軸保持孔２３の延伸長さは、軸保持孔２３に張出軸部５が挿通された際に、張出軸部５の突端側が露出する程度の長さに設定されている。即ち、軸保持孔２３の延伸長さは、張出軸部５の張り出し長さより短く、且つ張出軸部５の突端側の貫通孔２８（図３）も外部に露出する程度の長さに設定されている。
【００４５】
ストッパ保持孔２４は、軸保持孔２３の位置から筐体本体８の高さ方向に所定の距離離れた位置に設けられた孔で、軸保持孔２３と同様、筐体本体８の幅方向（前後方向）に沿って形成された貫通孔である。即ち、ストッパ保持孔２４と軸保持孔２３は、孔の延伸方向が互いに平行した関係で、孔の全長はほぼ等しくされている。
なお、筐体本体８におけるストッパ保持孔２４と軸保持孔２３との離反距離（孔の中心同士の間隔）は、補助部材７における軸用挿通孔１５とストッパ用挿通孔１８の孔の中心同士の間隔とほぼ等しい。
【００４６】
また、筐体本体８におけるストッパ保持孔２４の一方の端部側には、図４に示すように、前記したストッパ部材１２の円形フランジ部１２ｂを保持するフランジ保持部５７が設けられている。
具体的には、フランジ保持部５７は、ストッパ保持孔２４の延長上に配され、ストッパ保持孔２４にストッパ部材１２を配した際に、円形フランジ１２ｂが位置する箇所に形成された開口である。即ち、フランジ保持部５７は、筐体本体８に形成されたストッパ保持孔２４の開口が設けられた側面よりも外側に配されている。より具体的には、フランジ保持部５７は、筐体本体８の外側に突出しストッパ保持孔２４の延伸方向から見て「Ｕ」字型とされたＵ型凸部５８によって形成されており、そのＵ型凸部５８の突出方向の中途に開けられた円形フランジ部１２ｂの厚み程度の大きさを有した開口である。即ち、円形フランジ部１２ｂがフランジ保持部５７に配されると、Ｕ型凸部５８の中途で挟まれたような配置となる。
【００４７】
カバー部材２５は、図４、５に示すように、３面の側壁６１を有し、その側壁６１の長手方向の全長が筐体本体８の高さとほぼ同程度の長さとされており、３面の側壁６１によって形成された断面形状が「コ」の字型の部材である。そして、カバー部材２５は、向かい合った１対の側壁６１の内側に、支持体２の係合溝６０と係合する係合突起６２が、側壁６１の長手方向に沿って直線状に設けられている。また、カバー部材２５は、長手方向一方の端部を封鎖した封鎖端部壁５９を有する。即ち、カバー部材２５は、長手方向に延伸した３枚の側壁６１と、その側壁の端部側に設けられた１枚の封鎖端部壁５９とによって構成されている。
なお、本実施形態では、筐体本体８にカバー部材２５を装着した際に、筐体本体８の各外側面と、カバー部材２５の各外側面とが同一の平面を共有するような構成とされている。
【００４８】
次に、遊技島３１に取り付けた支持部材１における各部材の位置関係について、具体的に説明する。
本実施形態では、支持部材１が遊技島３１の腰板３３の位置に配され、支持体２が腰板３３の平面に対して、ほぼ直交する方向に張り出すように取り付けられている。
ここで、腰板３３には、図７に示すように、各遊技機３０が位置する箇所の下方に、支持部材１の一対の張出軸部５が挿通される１対の腰板軸挿通孔１９（図１１）がそれぞれ設けられている。即ち、遊技島３１における各支持部材１は、その１対の腰板軸挿通孔１９が位置する箇所に配されている。
以下に、１対の腰板軸挿通孔１９に配された１つの支持部材１に注目して説明する。
【００４９】
支持部材１は、回動基礎部材３の一部が遊技島３１の内部に位置し、回動基礎部材３の残部と支持体２が遊技島３１の外部に位置する。即ち、本実施形態では、図７、１１に示すように、回動基礎部材３においては、板状部６が遊技島３１の内部に位置すると共に、張出軸部５が腰板軸挿通孔１９を介して遊技島３１の外部に位置し、補助部材７は挿通孔１５に張出軸部５５が挿通された状態で遊技島３１の外部に位置する。そして、このとき、板状部６は腰板３３の内部側の壁面と当接しており、補助部材７は腰板３３の外部側の壁面と当接している。
【００５０】
そして、回動基礎部材３における板状部６の支持体貫通孔１３と、補助部材７の補助側貫通孔１６とが連通した状態で、ボルト・ナット等の固定手段によって遊技島３１に取り付けられている。なお、腰板３３における板状部６のストッパ用挿通孔１７と補助部材７のストッパ用挿通孔１８とが重なり合う位置に、腰板ストッパ挿通孔２６（図１１）が設けられており、ストッパ用挿通孔１７、１８は腰板ストッパ挿通孔２６を介して互いに連通状態にある。
【００５１】
また、図７の左側に示すように、支持体２が回動基礎部材３に対して相対的に回動可能に挿着されて、支持体２の姿勢を変更可能な姿勢変更機構が形成されている。即ち、姿勢変更機構は、回動基礎部材３の張出軸部５が、支持体２の軸保持孔２３に挿通されて軸支され、その張出軸部５の突端側の貫通孔２８に脱落防止用の割ピン５６が挿通された構成である（図１１）。即ち、本実施形態では、張出軸部５に挿着された支持体２は、腰板３３から張り出した張出軸部５の周方向に回動するため、遊技島３１との相対的距離を変化させることなく姿勢を変更することができる配置にされている。
【００５２】
そして、玉箱２０を要さない時（例えば、大当たりや既に玉箱２０に貯留された玉を使用する時以外）においては、支持体２のストッパ保持孔２４にストッパ部材１２を挿通すうことを要さず、その状態で筐体本体８に対してカバー部材２５が装着されている（以下、不支持姿勢とも言う）。即ち、この不支持姿勢の支持体２は、張出軸部５を基準とした回動が制限されない。なお、不支持姿勢は、開店前や閉店後にのみ取る姿勢とすることが好ましい。
一方、玉箱２０を要する時（例えば、大当たりや既に玉箱２０に貯留された玉を使用する時）においては、支持体２が不支持姿勢から姿勢変更された状態で、ストッパ保持孔２４にストッパ部材１２が挿通されて、その状態で筐体本体８に対してカバー部材２５が装着されている（以下、支持姿勢とも言う）。即ち、この支持姿勢の支持体２は、張出軸部５を基準とした回動できないように制限される。なお、支持姿勢は、営業中に常時取る姿勢とすることが好ましい。
【００５３】
以上のように、本実施形態においては、支持部材１の姿勢を不支持姿勢と支持姿勢のいずれかに選択的に変更可能とされている。そして、支持部材１の姿勢を支持姿勢に変更して、玉箱２０を支持する構成とされている。
そこで、以下の説明では、支持部材１の支持体２を不支持姿勢から支持姿勢に変更する場合に注目して説明する。
【００５４】
図７の左側に示す不支持姿勢の支持体２を、支持姿勢に変更する場合、まず、張出軸部５を回動の基準として、張出軸部５の周方向のいずれかの方向（腰板３３を正面視して左回り又は右回り）に回動させる。即ち、図１０に示すように、不支持姿勢の状態における支持体２の張出軸部５が位置する側の端部と反対側の端部を、張出軸部５を基準に、上方に向けて回動させる。そして、支持体２を不支持姿勢から１８０度回動した位置（支持姿勢）で停止する。この状態においては、図１１に示すように、支持体２のストッパ保持孔２４と、補助部材７のストッパ用挿通孔１８と、腰板３３の腰板ストッパ挿通孔２６と、板状部６のストッパ用挿通孔１７とが連通状態になる。そして、その連通状態の孔に対して、ストッパ部材１２を挿着する。
【００５５】
ここで、支持体２の筐体本体８には、通常、カバー部材２５が装着されているため、ストッパ部材１２を前記連通状態の孔に挿通する際には、予めカバー部材２５を支持体２から外しておく必要がある。即ち、支持体２を不支持姿勢から支持姿勢に回動させる前後のタイミングで、カバー部材２５を筐体本体８に対してスライドさせ、筐体本体８のＵ型突起５８が外部に露出した状態にしておく。
【００５６】
そして、カバー部材２５が外された状態の筐体本体８に対して、ストッパ部材１２をＵ型突起５８側から連通状態の孔に挿通する。そして、ストッパ部材１２の円形フランジ１２ｂがＵ型凸部５８の位置に到達すると、図１１に示すように、ストッパ部材１２の一方の端部側も回動基礎部材３の板状部６に至り、ストッパ部材１２によるストッパ機能が働く。そして、ストッパ部材１２の円形フランジ１２ｂをフランジ保持部５７に保持させると、図７の右側に示すように、ストッパ部材１２が支持姿勢の支持体２の回動を阻止するため、支持体２の姿勢が維持される。
【００５７】
また、このとき、図１１に示すように、ストッパ部材１２の円形フランジ１２ｂが、フランジ保持部５７に保持されるため、ストッパ部材１２が支持部材１から脱落することを防止できる。従って、支持体２を不支持姿勢から１８０度回動した姿勢である支持姿勢に変更して、支持部材１に対してストッパ部材１２を挿着させることで、支持体２を支持姿勢に確実に維持することができる。
そして、この状態の支持体２に対して、図１に示すように、玉箱２０の把持部２２を載置することで、玉箱２０とパチンコ機３０との相対的距離を近接状態にすることができる。より具体的には、パチンコ機３０の図示しない受け皿と玉箱２０の貯留部２１との距離を近づけることができる。これにより、前記受け皿から玉箱２０に玉が導入される際に、玉の衝突音が過度の大きくなったり、跳ね返りにより玉箱２０の外に飛び出す不具合が防止される。
さらに、本実施形態では、支持体２が受ける玉箱２０からの負担を、実質的に腰板３３に固定された回動基礎部材３で支持させる構成とされているため、支持部材１が荷重によって破壊される等の不具合が生じることがない。
【００５８】
また、本実施形態においては、遊技場の営業が終了して、支持体２の姿勢を支持姿勢から不支持姿勢に変更する場合においては、まず、支持姿勢の支持体２における筐体本体８に装着されたカバー部材２５を外して、ストッパ部材１２を支持体２と回動基礎部材３から取り除くことで、支持体２を不支持姿勢に容易に戻すことができる。換言すれば、パチンコ機３０を正面視した際に、支持体２の一部がパチンコ機３０に重なった姿勢（支持姿勢）から、パチンコ機３０に重ならない姿勢（不支持姿勢）に戻すことが容易にできるため、遊技場における閉店作業やパチンコ機３０のメンテナンス等も行い易い。
【００５９】
以上のように、本実施形態の遊技場の構造によれば、遊技島３１において、玉箱２０を支持する支持部材１の１対の張出軸部５が所定の間隔を空けて配されており、その張出軸部５に支持体２が挿着されているため、その支持体２における間隔の範囲内においては、高さ方向の制限がない。即ち、本実施形態では、載置棚５１に替えて、支持部材１を設けて遊技島３１を形成したため、遊技者は大当たりや既に玉箱２０に貯留された玉を使用する時以外の状況においては、図８に示すように、比較的大柄な人物であっても、脚を組むなどの姿勢変更が可能となる。結果として、遊技中、遊技者が余計なストレスを感じることがなくなるため、ストレスに起因した遊技場のリピート率の低下を抑制することができる。
【００６０】
さらに、本実施形態では、図１、７に示すように、支持体２を張出軸部５に対して回動させて、玉箱２０を不支持姿勢の支持体２より高い位置の支持姿勢で支持することができるため、玉箱２０の大きさの規格をわざわざ変更することなく、パチンコ機３０から玉箱２０に導入される玉が玉箱に勢いよく衝突して大きな音を発したり、勢いよく跳ね返って玉箱２０の外に飛び出してしまうような不具合を防止することができる。
【００６１】
上記実施形態では、予め張出軸部５の間隔を調整して板状部６に接合した回動基礎部材３を用いた構成を示したが、本発明はこれに限定されるわけではなく、図１２に示すように、１つの板状部６６に対して１つの張出軸部６７を接合した回動基礎部材６５を用いた構成であっても構わない。
また、遊技島３１における並設されたパチンコ機３０全体に渡る板状部に対して適宜の位置に張出棒部を接合した支持部材であっても構わない。
【００６２】
上記実施形態では、張出軸部５を基準に、支持体２を回動させて支持姿勢に変更する支持部材１を用いた構成を示したが、本発明はこれに限定されず、張出軸部に対して支持体をスライド移動させて支持姿勢に変更できる支持部材を備えた構成であっても構わない。具体的には、支持部材６８は、図１３に示す断面形状が四角形の張出軸部７０と、その張出軸部７０が挿通される軸保持孔７１を有した支持体６９（図１４）を備えた構成である。即ち、遊技島に固定された張出軸部７０に支持体６９の軸保持孔７１を挿通して、軸保持孔７１の領域内で張出軸部７０が沿うように、支持体６９をスライド移動させることで、支持体６９の姿勢を選択的に不支持姿勢と支持姿勢のいずれかに変更することができる。なお、この構成においても、支持姿勢は不支持姿勢より高さ方向に高い位置に設定されている。
【００６３】
また、本発明では、姿勢変更機構を備えることなく、支持体を張出軸部から脱着可能な構成として、支持体の姿勢を変更できる支持部材を備えていても構わない。即ち、支持部材７２は、図１３に示す張出軸部７０と、図１５に示す２つの軸保持孔７４、７５を備えた支持体７３を備えた構成である。この構成によれば、支持体７３を不支持姿勢にする場合には、図１５の上部の軸保持孔７４に張出軸部７０を挿着し、支持体７３を支持姿勢にする場合には、下部の軸保持孔７５に張出軸部７０を挿着することで、支持体７３の姿勢を選択的に変更できる。
また、張出軸部７０を突端側に向かって上り勾配の形状にし、さらに支持体７３における軸保持孔７４、７５を張出軸部７０を導入する開口側から内部に向かって上り勾配の形状にすれば、支持体７３が水平方向に移動し得ないため、張出軸部７０から支持体７３が不意に脱落することを防止することができる。
【００６４】
上記実施形態では、支持体２を張出軸部５に対して、張出軸部５の周方向に回動させて、支持体２の遊技島３１に対する相対的距離が変化しないように姿勢を変更する構成を示したが、本発明はこれに限定されず、支持体の遊技島に対する相対的距離が変化するように姿勢を変更する構成であっても構わない。即ち、支持部材７５は、図１６に示すように、張出軸部７６と、支持体７８を備えた構成であり、張出軸部７６には突端部に軸線に交差する貫通孔７９が設けられ、支持体７８には張出軸部７６の前記突端部が配される軸部配置部８０と、その軸部配置部８０において張出軸部７６の貫通孔７９が連通し得る貫通孔８１が設けられている。これにより、支持体７８は、図１７に示すように、遊技島に対する相対的距離を変化させながら姿勢を変更することができる。そして、何らかのストッパ部材を用いて支持体７８の支持姿勢を維持すれば、上記実施形態と同様の効果を得ることができる。
【００６５】
上記実施形態では、棒形状のストッパ部材１２を用いて支持姿勢を維持させる構成を示したが、本発明ではこれに限定されず、例えば、図１８に示すように、支持体２の回動領域に板状のストッパ部材８３を設けて、回動を阻止する構成であっても構わない。
【００６６】
上記実施形態では、玉箱２０が支持体２によって支持された状態から、その玉箱２０を移動させる場合を考慮して、支持体２の厚み（左右方向の長さ）を工夫をする構成を示したが、本発明はこれに限定されず、遊技島において前記工夫を施さず、玉箱の把持部の中間当たりに開口部などを設けて、その開口部を把持して持ち上げる構成としても構わない。
【００６７】
上記実施形態では、実施形態では、回動基礎部材３の板状部６と補助部材７によって、腰板３３に回動基礎部材３を固定する構成を示したが、本発明はこれに限定されず、遊技島３１の内部における床面等に固定した何らかの固定手段を用意し、その固定手段に対して回動基礎部材を固定する構成であっても構わない。
【００６８】
上記実施形態では、遊技島３１が複数の遊技機３０が設置されて形成された構成を示したが、本発明ではこれに限定されず、遊技島は１つの遊技機３０により形成されても構わない。
【符号の説明】
【００６９】
１、４０、４３、６８、７２    支持部材（支持手段）
２、６９、７３    支持体
３、６５    回動基礎部材
５、６７、７０    張出軸部
２０    玉箱（貯留容器）
２１    貯留部
２２    把持部
２５    ストッパ部材（姿勢維持手段）
３０    パチンコ機（遊技機）
３１    遊技島
３３    腰板
【図１】
0005727762.tif 000002
【図２】
0005727762.tif 000003
【図３】
0005727762.tif 000004
【図４】
0005727762.tif 000005
【図５】
0005727762.tif 000006
【図６】
0005727762.tif 000007
【図７】
0005727762.tif 000008
【図８】
0005727762.tif 000009
【図９】
0005727762.tif 000010
【図１０】
0005727762.tif 000011
【図１１】
0005727762.tif 000012
【図１２】
0005727762.tif 000013
【図１３】
0005727762.tif 000014
【図１４】
0005727762.tif 000015
【図１５】
0005727762.tif 000016
【図１６】
0005727762.tif 000017
【図１７】
0005727762.tif 000018
【図１８】
0005727762.tif 000019
【図１９】
0005727762.tif 000020